(57)【要約】      （修正有）【課題】回転する切断部材の全周を覆うことによって、刈払機を使用する際に飛散する物体から全方位に位置する人や物体を保護しながら、破損しにくく、刈払作業の際の良好な作業性を確保することができる刈払機用ガード部材を提供する。【解決手段】ガード部材は、操作シャフト４の切断部材５の取付位置の上方位置に、切断部材の回転面と平行に固定されるようにした円形状の枠体２１からなるカバー支持部材２と、カバー支持部材に支持される、円形状の天部３１及び操作シャフトが挿通されるスリットを有する円筒形状の周部３２を備えた合成樹脂製シートからなるカバー部材３とを備える。【選択図】図１
0003222213.tif 000002
【実用新案登録請求の範囲】
【請求項１】
操作シャフトの先端部に回転する切断部材を取り付けるようにした刈払機に用いられるガード部材において、
操作シャフトの切断部材の取付位置の上方位置に、切断部材の回転面と平行に固定されるようにした円形状の枠体からなるカバー支持部材と、
該カバー支持部材に支持される、円形状の天部及び円筒形状の周部を備えた合成樹脂製シートからなるカバー部材と
を備えてなることを特徴とする刈払機用ガード部材。
【請求項２】
前記カバー部材が、カバー部材の円筒形状の周部の下端縁が切断部材の回転面より上方に位置する形状に形成されてなることを特徴とする請求項１に記載の刈払機用ガード部材。
【考案の詳細な説明】
【技術分野】
【０００１】
本考案は、刈払機を使用する際に飛散する異物から人等を保護するガード部材に関するものである。
【背景技術】
【０００２】
従来、土手等に生える雑草を除去するための器具として、刈払機が知られている。
刈払機は、エンジンやモータによって発生させられる回転動力を操作シャフトの先端部に取り付けた切断刃等の切断部材（以下、単に、「切断部材」という。）に伝えるように構成されている。
そして、作業者はスロットルレバーによってエンジンやモータによって回転させられる切断部材の回転を制御しつつ、操作シャフトを振り回すように操作して所望の刈払作業を行う。
このような刈払機による刈払作業を行う際に、異物（雑草中の小石等。本明細書において、「異物」という。）が切断部材によって、意図しない方向へ飛散し、飛散した異物によって、人が怪我をしたり、周囲の物体が損傷を受けたりする等の問題があった。
【０００３】
この問題に対処するため、刈払機を使用する際に飛散する物体から作業者を保護するガード部材が提案され、実用化されている（例えば、特許文献１参照。）。
【先行技術文献】
【特許文献】
【０００４】
【特許文献１】実用新案登録第３１４４７４１号公報
【考案の概要】
【考案が解決しようとする課題】
【０００５】
ところで、従来の刈払機用ガード部材は、刈払作業の際の作業性を考慮して、回転する切断部材の全周を覆わず、例えば、作業者が位置する方向のみを覆うものであるため、意図しない方向へ飛散した異物によって、周囲の人が怪我をしたり、周囲の物体が損傷を受けたりする等の問題があった。
また、従来の刈払機用ガード部材は、剛性が高い材料からなるため、飛散した異物によってガード部材自体が破損しやすく、耐久性に乏しいという問題や、重量が大きく、刈払作業の際の作業性が悪いという問題があった。
【０００６】
本考案は、上記従来の刈払機用ガード部材の有する問題点に鑑み、回転する切断部材の全周を覆うことによって、刈払機を使用する際に飛散する物体から全方位に位置する人や物体を保護しながら、破損しにくく、刈払作業の際の良好な作業性を確保することができる刈払機用ガード部材を提供することを目的とする。
【課題を解決するための手段】
【０００７】
上記目的を達成するため、本考案の刈払機用ガード部材は、操作シャフトの先端部に回転する切断部材を取り付けるようにした刈払機に用いられるガード部材において、操作シャフトの切断部材の取付位置の上方位置に、切断部材の回転面と平行に固定されるようにした円形状の枠体からなるカバー支持部材と、該カバー支持部材に支持される、円形状の天部及び円筒形状の周部を備えた合成樹脂製シートからなるカバー部材とを備えてなることを特徴とする。
【０００８】
この場合において、前記カバー部材が、カバー部材の円筒形状の周部の下端縁が切断部材の回転面より上方に位置する形状に形成されてなるようにすることができる。
【考案の効果】
【０００９】
本考案の刈払機用ガード部材によれば、操作シャフトの切断部材の取付位置の上方位置に、切断部材の回転面と平行に固定されるようにした円形状の枠体からなるカバー支持部材と、該カバー支持部材に支持される、円形状の天部及び円筒形状の周部を備えた合成樹脂製シートからなるカバー部材とを備えてなることから、カバー部材によって回転する切断部材の全周を覆うことによって、刈払機を使用する際に飛散する物体から全方位に位置する人や物体を保護しながら、合成樹脂製シートからなるカバー部材は、破損しにくく、重量が小さい円形状の枠体からなるカバー支持部材を用いることと相俟って、刈払作業の際の良好な作業性を確保することができる。
【００１０】
また、前記カバー部材が、カバー部材の円筒形状の周部の下端縁が切断部材の回転面より上方に位置する形状に形成されてなるようにすることにより、カバー部材が切断部材に巻き込まれることを防止することができる。
【図面の簡単な説明】
【００１１】
【図１】本考案の刈払機用ガード部材の一実施例を示し、（ａ）は平面図、（ｂ）は側面図である。
【図２】同刈払機用ガード部材のカバー部材を示す斜視図である。
【考案を実施するための形態】
【００１２】
以下、本考案の刈払機用ガード部材の実施の形態を、図面に基づいて説明する。
【００１３】
図１〜図２に、本考案の刈払機用ガード部材の一実施例を示す。
この刈払機用ガード部材は、操作シャフト４の先端部に回転する切断部材５を取り付けるようにした刈払機に用いられるガード部材１において、操作シャフト４の切断部材５の取付位置の上方位置に、切断部材５の回転面と平行に固定されるようにした円形状の枠体２１からなるカバー支持部材２と、このカバー支持部材２に支持される、円形状の天部３１及び円筒形状の周部３２を備えた合成樹脂製シートからなるカバー部材３とを備えてなるようにしている。
【００１４】
この場合において、切断部材５には、円形状をしたチップソーや三枚刃からなる汎用の切断刃やナイロンカッターと呼ばれるコードを用いることができる。
【００１５】
カバー支持部材２は、直径１〜３ｍｍのステンレス等の金属製の線材を円形状に形成した枠体２１からなり、この枠体２１を同様の線材を用いて形成した支持片２２、２３を介して、取付具２４を用いて、操作シャフト４の切断部材５の取付位置の上方位置に、切断部材５の回転面と平行に固定するようにしている。
ここで、枠体２１と、支持片２２、２３とは、溶接することによって一体化するほか、任意の固定手段やヒンジ手段を用いることによって、分解可能にしたり、折り畳み可能な構造とすることもできる。
また、枠体２１は、十字形状の形状保持片２５を、溶接することによって一体化するようにしている。
【００１６】
カバー支持部材２に支持されるカバー部材３は、厚さ０．２〜１．０ｍｍ（本実施例においては、０．３ｍｍ。）の合成樹脂製シートを加工した、円形状の天部３１及び円筒形状の周部３２からなるようにしている。
カバー部材３は、カバー支持部材２に装着、支持する際に、操作シャフト４を挿通するスリット３２ａを周部３２に形成するとともに、スリット３２ａを形成した部分が捲り上がることを防止するために、両面ファスナ３２ｂでスリット３２ａを閉じるようにしている。
ここで、カバー部材３は、別体で形成した円形状の天部３１と円筒形状の周部３２とを、熱融着や粘着テープで一体になるように形成するようにするほか、汎用の合成樹脂製の袋体を用い、袋体の底部を折り曲げて天部３１を形成するようにすることもできる。
また、カバー部材３に用いる合成樹脂製シートは、透明又は半透明のものが、刈払作業の際の視認性を確保できる点で好ましく、必要に応じて、繊維等を用いて補強した積層シートを用いることもできる。
【００１７】
ガード部材１の取付位置は、切断部材５の回転面とガード部材１の天面と距離Ｈ５が、１５０〜２５０ｍｍ、好ましくは、１８０〜２２０ｍｍ（本実施例においては、２００ｍｍ。）になるようにする。
また、カバー部材３の周部３２が切断部材５に巻き込まれることを防止するために、カバー部材３の周部３２の下端縁が切断部材５の回転面より上方に位置するように、具体的には、ガード部材１（カバー部材３の周部３２）の高さＨ１を、Ｈ５−１〜３０ｍｍ、好ましくは、Ｈ５−５〜２０ｍｍ（本実施例においては、Ｈ５（２００ｍｍ）−２０ｍｍ＝１８０ｍｍ。）に形成するようにする。
【００１８】
ガード部材１の直径Ｄ１は、切断部材５の回転直径Ｄ５＋５０〜１００ｍｍ、好ましくは、Ｄ５＋６０〜８０ｍｍ（本実施例においては、Ｄ５（３７０ｍｍ）＋７０ｍｍ＝４４０ｍｍ。）に形成するようにする。
【００１９】
この刈払機用ガード部材は、カバー部材３によって回転する切断部材５の全周を覆うことによって、刈払機を使用する際に飛散する物体から全方位に位置する人や物体を保護しながら、合成樹脂製シートからなるカバー部材３は、カバー部材３の周部３２は、実質的に拘束されていないため、飛散する物体が衝突しても、柔軟に変形することで緩衝作用を発揮するため破損しにくく、重量が小さい円形状の枠体２１からなるカバー支持部材２を用いることと相俟って、刈払作業の際の良好な作業性を確保することができる。
【００２０】
以上、本考案の刈払機用ガード部材について、その実施例に基づいて説明したが、本考案は上記実施例に記載した構成に限定されるものではなく、その趣旨を逸脱しない範囲において適宜その構成を変更することができるものである。
【産業上の利用可能性】
【００２１】
本考案の刈払機用ガード部材は、回転する切断部材の全周を覆うことによって、刈払機を使用する際に飛散する物体から全方位に位置する人や物体を保護しながら、破損しにくく、刈払作業の際の良好な作業性を確保することができるという特性を有していることから、切断部材として、チップソーや三枚刃からなる汎用の切断刃を用いる刈払機やナイロンカッターと呼ばれるコードを用いる刈払機の用途に好適に用いることができる。
【符号の説明】
【００２２】
１  ガード部材
２  カバー支持部材
２１  枠体
３  カバー部材
３１  天部
３２  周部
４  操作シャフト
５  切断部材
【図１】
0003222213.tif 000003
【図２】
0003222213.tif 000004